(57)【要約】  【課題】  携帯電話機を三脚に対して容易、迅速、且、確実に設置し得るとともに、多種多様な構成を有する携帯電話機に用いることができる三脚アダプタ、及び、これを用いた三脚装置を提供する。  【解決手段】  三脚アダプタ１は、基体部１０と、支持部１２と、ネジ留め部１３とを含む。支持部１２は、携帯電話機の外部接続端子に嵌合可能な形状を有している。ネジ留め部１３は、三脚の止めネジをネジ留め可能なネジ穴を有している。基体部１０は、第１及び第２の面１０１、１０２を有する成形体であって、第１の面１０１には支持部１２が備えられ、第２の面１０２にはネジ留め部１３が備えられている。  上述した三脚アダプタ１は、三脚３と組み合わされて三脚装置に用いられる。三脚３は、止めネジ３４を有する。三脚アダプタ１は、ネジ留め部１３に止めネジ３４がネジ留めされて、三脚３に固定される。【選択図】      図３
2006254186.tif 000002
【特許請求の範囲】
【請求項１】
基体部と、支持部と、ネジ留め部とを含む携帯電話機用三脚アダプタであって、
前記支持部は、携帯電話機の外部接続端子に嵌合可能な形状を有しており、
前記ネジ留め部は、三脚の止めネジをネジ留め可能なネジ穴を有しており、
前記基体部は、第１の面と、第２の面とを有し、前記第１の面には前記支持部が備えられ、前記第２の面には前記ネジ留め部が備えられている、
携帯電話機用三脚アダプタ。
【請求項２】
請求項１に記載された携帯電話機用三脚アダプタであって、
前記第１の面と、前記第２の面とは、互に平行である、
携帯電話機用三脚アダプタ。
【請求項３】
請求項１に記載された携帯電話機用三脚アダプタであって、
前記第１の面と、前記第２の面とは、互に略直交する、
携帯電話機用三脚アダプタ。
【請求項４】
携帯電話機用三脚アダプタと、三脚とを含む三脚装置であって、
前記三脚は、雄形の止めネジを有しており、
前記携帯電話機用三脚アダプタは、請求項１乃至３の何れかに記載されたものでなり、前記ネジ留め部に前記止めネジがネジ留めされて、三脚に固定される、
三脚装置。
【発明の詳細な説明】
【技術分野】
【０００１】
本発明は、携帯電話機を、一般のカメラ及びビデオカメラ用の三脚に固定するために用いる三脚アダプタ、及び、これを用いた三脚装置に関する。
【背景技術】
【０００２】
携帯電話機は、新製品開発が激しい分野であって、内蔵機能の高性能化が進展している。例えば、現在の携帯電話機に備えられているカメラ機能は、単に静止画撮影が可能であるのみならず、所謂ビデオカメラと同様の動画撮影すら可能なものが現れている。
【０００３】
このようなカメラ付き携帯電話機の普及に伴い、携帯電話機を用いて撮影する機会が増加している。携帯電話機は、軽量、且、小型で取り扱いが容易であるため、気軽に自分を撮影するために用いられることが多い。この種のカメラ付き携帯電話機を用い、そのセルフタイマー機能により自分を撮影する場合、当然、携帯電話機を離れた場所に設置することとなるから、一般のカメラと同様に三脚を用いることができれば便利である。
【０００４】
また、動画撮影を行う場合にも、一般のビデオカメラと同様に三脚を用いることができれば、携帯電話機を離れた場所に設置することができるとともに、手ぶれを防止することができる。
【０００５】
一般のカメラ及びビデオカメラは、その底部に三脚固定用のネジ穴を有しており、前記ネジ穴に三脚の止めネジがネジ留めされて固定される。これに対し、携帯電話機は、三脚固定用のネジ穴を有しないから、一般のカメラ及びビデオカメラ用の三脚（以下、単に三脚と称する）を、携帯電話機に直接的に転用することはできない。
【０００６】
そこで、従来は、特許文献１及び２に示すように、携帯電話機を収納容器に収納し、前記収納容器と三脚とをネジ留めすることにより、収納容器を介して間接的に携帯電話機を三脚へ固定していた。
【０００７】
しかし、特許文献１及び２に示す先行技術によると、次のような問題点を生じる。
【０００８】
まず、携帯電話機は、その設定により撮影中であっても着信を知らせるバイブレーション機能が働く場合がある。収納容器タイプの支持構造では、携帯電話機の保持が不十分であって、バイブレーション機能の振動や、その他の衝撃等により、カメラアングルの不正移動や、手ぶれと同様のピンぼけ、更には携帯電話機の脱落等の不具合が発生する危険が高い。
【０００９】
次に、収納容器タイプの支持構造では携帯電話機を確実に支持するために、その形状、及び、寸法が、携帯電話機と同程度になる傾向にある。このような収納容器は、大型であって携行に不便である。また、収納容器の大型化は、三脚に対する設置作業の容易性、及び、迅速性を損なうとともに、製造コストが高くなる。
【００１０】
他方、特許文献２が開示するように、収納容器が携帯電話機を支持するための固定具を備える構成によると、収納容器に対する携帯電話機器の設置作業の容易性、及び、迅速性が損なわれることとなる。
【００１１】
さらに、携帯電話機は、その外形形状や寸法、カメラレンズの配置等の具体的構成が多様化しているから、収納容器タイプの支持構造では、これらの携帯電話機の多様化に対応することができない。例えば、カメラレンズの配置によっては、レンズ前面が収納容器の壁面や、固定具等により遮蔽される不都合が生じる。
【特許文献１】特開２００４−１５７２１１号公報
【特許文献２】特開２００２−３２００１８号公報
【発明の開示】
【発明が解決しようとする課題】
【００１２】
本発明の課題は、携帯電話機を三脚に対して容易、且、迅速に設置することができる三脚アダプタ、及び、これを用いた三脚装置を提供することである。
【００１３】
本発明のもう１つの課題は、携帯電話機を確実に固定することができる三脚アダプタ、及び、これを用いた三脚装置を提供することである。
【００１４】
本発明の更にもう１つの課題は、多種多様な構成を有する携帯電話機に用いることができる三脚アダプタ、及び、これを用いた三脚装置を提供することである。
【課題を解決するための手段】
【００１５】
上述した課題を解決するため、本発明に係る携帯電話機用三脚アダプタ（以下、三脚アダプタと称する）は、基体部と、支持部と、ネジ留め部とを含む。支持部は、携帯電話機の外部接続端子に嵌合可能な形状を有している。ネジ留め部は、三脚の止めネジとネジ留め可能なネジ穴を有している。基体部は、第１の面と、第２の面とを有し、第１の面には支持部が備えられ、第２の面にはネジ留め部が備えられている。
【００１６】
上述した三脚アダプタは、三脚と組み合わされて三脚装置に用いられる。三脚は、雄形の止めネジを有する。三脚アダプタは、ネジ留め部に止めネジがネジ留めされて、三脚に固定される。
【００１７】
本発明に係る三脚用アダプタ、及び、これを用いた三脚装置は、携帯電話機を支持するために用いられる。携帯電話機は、外部接続端子に支持部が嵌合されることにより、三脚アダプタを介して、三脚に設置される。
【００１８】
上述したように、本発明に係る三脚アダプタの支持部は、携帯電話機の外部接続端子に嵌合可能な形状を有しているから、携帯電話機が外部接続端子を有してさえいれば、その外形形状や寸法に関わらず、外部接続端子に嵌合して携帯電話機を支持することができる。従って、本発明に係る三脚アダプタは、多種多様な構成を有する携帯電話機に用いることができる。
【００１９】
本発明に係る三脚アダプタと、携帯電話機との接続態様について、支持部が外部接続端子に嵌合される構造によると、携帯電話機を三脚アダプタに確実に設置することができる。
【００２０】
また、支持部が外部接続端子に嵌合される構造によると、三脚アダプタは、携帯電話機の固定具が不要であって、三脚アダプタに対する携帯電話機の設置作業を容易、且、迅速に行うことができる。
【００２１】
さらに、支持部が外部接続端子に嵌合される構造によると、三脚アダプタは、特許文献１及び２に開示されている収納容器より、小型となる。従って、携行に便利であるとともに、三脚に対する設置作業を容易、且、迅速に行うことができる。さらに、製造コストを低減することができる。
【００２２】
本発明に係る三脚アダプタのネジ留め部は、三脚の止めネジとネジ留め可能なネジ穴を有するから、三脚アダプタを三脚にネジ留めすることができる。
【００２３】
本発明に係る三脚アダプタにおいて、基体部は、第１及び第２の面を有し、第１の面には支持部が備えられ、第２の面にはネジ留め部が備えられているから、三脚アダプタを介して、携帯電話機を三脚に設置することができる。
【００２４】
本発明の他の目的、構成及び利点については、添付図面を参照し、更に詳しく説明する。添付図面は、単に、例示に過ぎない。
【発明の効果】
【００２５】
以上述べたように、本発明によれば、次のような効果を得ることができる。
（１）携帯電話機を三脚に対して容易、且、迅速に設置することができる三脚アダプタ、及び、これを用いた三脚装置を提供することができる。
（２）携帯電話機を確実に固定することができる三脚アダプタ、及び、これを用いた三脚装置を提供することができる。
（３）多種多様な構成を有する携帯電話機に用いることができる三脚アダプタ、及び、これを用いた三脚装置を提供することができる。
【発明を実施するための最良の形態】
【００２６】
図１は本発明の一実施形態に係る三脚アダプタの斜視図、図２は図１の２−２線に沿った端面図である。図１及び図２を参照すると、本発明の一実施形態に係る三脚アダプタは、基体部１０と、支持部１２と、ネジ留め部１３とを含む。
【００２７】
基体部１０は、少なくとも第１の面１０１と、第２の面１０２とを有する成形体である。より詳細に説明すると、図１及び図２に示した基体部１０は、矢印ｗで示す幅方向に延びる直方体であって、好ましくはポリエチレン（ＰＥ）、ポリプロピレン（ＰＰ）、塩化ビニル樹脂（ＰＶＣ）等の合成樹脂により構成することができる。
【００２８】
第１の面１０１と、第２の面１０２とは、基体部１０において互に平行する位置関係で備えられており、さらに、第１の面１０１には支持部１２が備えられ、第２の面１０２にはネジ留め部１３が備えられている。
【００２９】
支持部１２は、携帯電話機の外部接続端子に嵌合可能な突起形状を有している。より詳細に説明すると、支持部１２は、差込部１２１と、空洞部１２２とを有する。
【００３０】
差込部１２１は、少なくとも外形部分が、携帯電話機の外部接続端子に嵌合可能な端子形状であって、第１の面１０１から、矢印ｔで示す高さ方向に立ち上がっている。
【００３１】
差込部１２１は、好ましくは、基体部１０と一体的に形成されている。即ち、差込部１２１もまた、好ましくはポリエチレン（ＰＥ）、ポリプロピレン（ＰＰ）、塩化ビニル樹脂（ＰＶＣ）、繊維強化プラスチック（ＦＲＰ）等の合成樹脂により構成することができる。
【００３２】
空洞部１２２は、開口端面１２３を有し、開口端面１２３によりその内部空間が外部に開放されている。空洞部１２２は、支持部１２が携帯電話機に嵌合された場合に、その外部接続端子を収納するスペースとして用いられる。
【００３３】
ネジ留め部１３は、いわゆる雌形ネジであって、内周面に三脚の止めネジとネジ留め可能なネジ穴を有している。ネジ留め部１３は、図２に示すように基体部１０と一体的に形成されていてもよいし、例えば、金属材料や、高強度の硬質プラスチック等を用いて別に雌形ネジを製造し、これを第２の面１０２に埋設してもよい。
【００３４】
図１及び図２を参照して説明した本発明の一実施形態に係る三脚アダプタは、三脚と組み合わされて三脚装置を構成し、携帯電話機を支持するために用いられる。次に、本発明の一実施形態に係る三脚アダプタを用いた三脚装置について説明する。
【００３５】
図３は図１及び図２に示した三脚アダプタを用いた三脚装置の組み立て構造を示す正面図、図４は図３に示した三脚装置の組み立て状態を示す正面図である。さらに、図５は、図４に示した三脚装置を構成する各部材の結合構造について、一部を省略して示す部分断面図である。図３乃至図５において、図１及び図２に示した構成部分と同一の構成部分には、同一の参照符号を付す。
【００３６】
図３乃至図５を参照すると、本発明の一実施形態に係る三脚装置は、三脚アダプタ１と、携帯電話機２と、三脚３とを含む。三脚アダプタ１は、図１及び図２を参照して説明したものでなる。
【００３７】
携帯電話機２は、上パネル２１と、下パネル２２とが、ヒンジ部２３により開閉可能に連結されている折曲構造であって、さらに、外部接続端子２４と、カメラレンズ２５とを含む。外部接続端子２４は下パネル２２の下方側面に備えられており、カメラレンズ２５は上パネル２１の内面の上方中央に備えられている。
【００３８】
三脚３は、脚部３１と、回転台３２と、ハンドル３３と、雄形の止めネジ３４を有する。脚部３１は、回転台３２の下面に備えられ、回転台３２を三軸方向に回転可能に支持している。回転台３２の向きの調節は、ハンドル３３の操作により行われる。止めネジ３４は、回転台３２の上面に備えられている。
【００３９】
三脚アダプタ１は、ネジ留め部１３に、止めネジ３４がネジ留めされて、三脚３の回転台３２に固定されている。携帯電話機２は、外部接続端子２４に支持部１２が嵌合され、三脚アダプタ１を介して、三脚３の回転台３２上に設置される。
【００４０】
なお、携帯電話機においても、一般のカメラ等と同様に、撮影時の姿勢によって、撮影された写真等の上下の正対位置が決定される。図３乃至図５に示す携帯電話機２は、縦向き姿勢で撮影した場合に、写真等の上下が正対する形式であることを前提とする。従って、基体部１０は、第１及び第２の面１０１、１０２が互に平行であることにより、携帯電話機２を縦向き姿勢で支持することができれば、図１乃至図５に示す長方体以外にも、立方体や、多面体、さらには円柱形状や球形形状等であってもよい。
【００４１】
図１乃至図５を参照して説明した本発明の一実施形態に係る三脚アダプタ１によると、支持部１２は外部接続端子２４に嵌合可能な端子形状を有しているから、携帯電話機２が外部接続端子２４を有してさえいれば、その外形形状や寸法に関わらず、外部接続端子２４に嵌合して携帯電話機２を支持することができる。
【００４２】
三脚アダプタ１と、携帯電話機２との接続態様について、支持部１２が外部接続端子２４に嵌合される構造によると、三脚アダプタ１は、携帯電話機２の多様化に追従することができる。即ち、三脚アダプタ１と、携帯電話機２とは、外部接続端子２４の部分でのみ接触する。このような必要最小限度の接触面積で嵌合される構造によると、三脚アダプタ１は、携帯電話機２の外形形状や寸法等の具体的構成によって使用が阻害されることはない。従って、三脚アダプタ１は、携帯電話機２の外形形状や寸法等の多様化に追従し、これを支持することができる。
【００４３】
支持部１２が外部接続端子２４に嵌合される構造によると、携帯電話機２を三脚アダプタ１に確実に設置することができる。従って、撮影中に着信を知らせるバイブレーション機能が働いたとしても、カメラアングルの不正移動やピンぼけ、更には携帯電話機２の脱落等の不具合は発生しない。
【００４４】
また、支持部１２が外部接続端子２４に嵌合される接続態様によると、支三脚アダプタ１は、携帯電話機２を固定するための固定具を備える必要がなくなるから、三脚アダプタ１に対する携帯電話機２の設置作業を、容易且迅速に行うことができるともに、製造コストを低減することができる。
【００４５】
さらに、支持部１２が外部接続端子２４に嵌合される接続態様によると、特許文献１及び２とは異なり、三脚アダプタ１は、その形状、及び、寸法が大幅に小型化されている。従って、携行に便利であるとともに、三脚３に対する設置作業を容易、且、迅速に行うことができる。さらに、製造コストを低減することができる。
【００４６】
三脚アダプタ１は、ネジ留め部１３を含み、ネジ留め部１３は、三脚３の止めネジ３４とネジ留め可能なネジ穴を有するから、一般の三脚３が有する止めネジ３４にネジ留めすることができる。
【００４７】
本発明の一実施形態に係る三脚アダプタ１において、第２の面１０２にはネジ留め部１３が備えられているから、三脚アダプタ１を介して、携帯電話機２を三脚３に設置することができる。
【００４８】
しかも、第１及び第２の面１０１、１０２は、互に平行である構成によると、携帯電話機２の多様化に対応することができる。例えば、図３乃至図５に示すように通常、外部接続端子２４は、携帯電話機２の下パネル２２の下方側面に備えられているから、三脚アダプタ１は、カメラレンズ２５と少なくとも同一平面、又は、カメラレンズ２５より後方に配置される。従って、カメラレンズ２５が、三脚アダプタ１により遮蔽される不都合は生じない。
【００４９】
図６乃至図８は、本発明のもう一つの実施例に係る三脚装置の正面図である。図６乃至図８において、図１乃至図５に示した構成部分と同一の構成部分には、同一の参照符号を付す。
【００５０】
図６は、カメラレンズ２５が、ヒンジ部２３に備えられている形式の携帯電話機２の例である。
【００５１】
また、図７は、カメラレンズ２５が、上パネル２１の外面に備えられており、上及び下パネル２１、２２を折畳んだ状態で撮影する形式の例である。なお、現在発売中の携帯電話機の中には、上パネル２１の外面及び内面に、それぞれカメラレンズ２５を備える機種も存在するから、図３乃至図６に示す携帯電話機２と、図７に示す携帯電話機２とは、使用態様が異なるだけであるとも考えられる。
【００５２】
さらに、図８は、外部接続端子２４が、下パネル２２の左右一方側面に備えられており、携帯電話機２が横向きの姿勢で三脚アダプタ１に支持されている。即ち、図８に示す実施形態では、携帯電話機２は横向き姿勢での撮影されることにより、写真や動画の上下が正対する形式であることを前提とする。
【００５３】
図１乃至図５を参照して説明したように、三脚アダプタ１は、外部接続端子２４の部分でのみ携帯電話機２に接触する嵌合構造であるから、携帯電話機２の外形形状や寸法等の具体的構成により使用が制限される不都合は生じない。しかも、支持部１２が備えられている第１の面１０１と、ネジ留め部１３が備えられている第２の面１０２とは、互に平行であるから、三脚アダプタ１は、カメラレンズ２５と少なくとも同一平面、又は、カメラレンズ２５より後方に配置され、カメラレンズ２５が、三脚アダプタ１により遮蔽される不都合は生じない。従って、本発明の一実施形態に係る三脚アダプタ１、及び、これを用いた三脚装置によると、図６乃至図８に示したようなメーカー毎、機種毎に異なる携帯電話機２の外形形状や、カメラレンズ２５の配置等の多様な具体的構成に対して、容易に追従することができる。
【００５４】
図９は、本発明の更にもう一つの実施例に係る三脚装置について、一部を省略して示す部分断面図である。図９において、図１乃至図８に示した構成部分と同一の構成部分には、同一の参照符号を付す。
【００５５】
図９を参照すると、三脚アダプタ１は受け部１４を有し、受け部１４は基体部１０の相対向する側面から立ち上がっている。受け部１４の内周面には、支持部１２が配置されている。この構造によると、携帯電話機２は、支持部１２と外部接続端子２４との嵌合構造により三脚アダプタ１に支持されるとともに、さらに外部接続端子２４の周辺部分が、受け部１４により支持される。従って、本発明の一実施形態に係る三脚アダプタ１、及び、これを用いた三脚装置によると、携帯電話機２をより確実に支持することができる。
【００５６】
また、三脚アダプタ１が受け部１４を有し、受け部１４の内周面に支持部１２が配置されている構造によると、本発明の一実施形態に係る三脚アダプタ１、及びこれを用いた三脚装置は、特許文献１及び２より小型な構造で、これと同等の携帯電話機支持性能を有することができる。
【００５７】
図１０は本発明のもう一つの実施形態に係る三脚アダプタの斜視図である。図１０において、図１乃至図９に示した構成部分と同一の構成部分には、同一の参照符号を付す。
【００５８】
図１０に示す三脚アダプタは、第１の面１０１と、第２の面１０２とが、基体部１０において互に略直交する点で、図１乃至図９に示した三脚アダプタ１と異なる。
【００５９】
図１０に示した三脚アダプタは、三脚と組み合わされて三脚装置を構成し、携帯電話機を支持するために用いられる。次に、本発明の一実施形態に係る三脚アダプタを用いた三脚装置について説明する。図１１は本発明の更にもう一つの実施例に係る三脚装置の正面図である。
【００６０】
図１１に示す携帯電話機２は、図８に示した携帯電話機２と同様に外部接続端子２４が、下パネル２２の左右一方側面に備えられている一方、撮影時の携帯電話機２の姿勢が縦向き姿勢となっている。即ち、図１１に示す実施形態は、縦向き姿勢で撮影した場合に、写真や動画の上下が正対する形式であることを前提とする点で、図８に示した実施形態とは異なる。
【００６１】
本発明の一実施形態に係る三脚アダプタ１、及び、これを用いた三脚装置において、第１の面１０１と、第２の面１０２とは、基体部１０において略直交しており、第１の面１０１には支持部１２が備えられ、第２の面１０２にはネジ留め部１３が備えられている。この構成によると、外部接続端子２４が、下パネル２２の左右一方側面に備えられていたとしても、支持部１２が外部接続端子２４に嵌合されれば、携帯電話機２を縦向き姿勢で三脚３に支持することができる。
【００６２】
図１乃至図８を参照して説明したように、図１０及び図１１に示す三脚アダプタ１は、外部接続端子２４の部分でのみ携帯電話機２と結合する嵌合構造である。しかも、支持部１２が備えられている第１の面１０１と、ネジ留め部１３が備えられている第２の面１０２とが互に略垂直するから、三脚アダプタ１は、カメラレンズ２５と少なくとも同一平面、又は、カメラレンズ２５より後方に配置され、カメラレンズ２５が、三脚アダプタ１により遮蔽される不都合は生じない。従って、本発明の一実施形態に係る三脚アダプタ１、及び、これを用いた三脚装置によると、多様な具体的構成を有する携帯電話機２を支持するために用いることができる。
【００６３】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００６４】
【図１】本発明の一実施形態に係る三脚アダプタの斜視図である。
【図２】図１の２−２線に沿った端面図である。
【図３】図１及び図２に示した三脚アダプタを用いた三脚装置の組み立て構造を示す正面図である。
【図４】図３に示した三脚装置の組み立て状態を示す正面図である。
【図５】図４に示した三脚装置を構成する各部材の結合構造について、一部を省略して示す部分断面図である。
【図６】本発明のもう一つの実施例に係る三脚装置の正面図である。
【図７】本発明の更にもう一つの実施例に係る三脚装置の正面図である。
【図８】本発明の更にもう一つの実施例に係る三脚装置の正面図である。
【図９】本発明の更にもう一つの実施例に係る三脚装置について、一部を省略して示す部分断面図である。
【図１０】本発明のもう一つの実施形態に係る三脚アダプタの斜視図である。
【図１１】本発明の更にもう一つの実施例に係る三脚装置の正面図である。
【符号の説明】
【００６５】
１        三脚アダプタ
１０      基体部
１０１    第１の面
１０２    第２の面
１２      支持部
１３      ネジ留め部
３        三脚
３４      止め螺子
【図１】
2006254186.tif 000003
【図２】
2006254186.tif 000004
【図３】
2006254186.tif 000005
【図４】
2006254186.tif 000006
【図５】
2006254186.tif 000007
【図６】
2006254186.tif 000008
【図７】
2006254186.tif 000009
【図８】
2006254186.tif 000010
【図９】
2006254186.tif 000011
【図１０】
2006254186.tif 000012
【図１１】
2006254186.tif 000013